(57)【要約】【課題】  装着されるアクセサリーに適した設定を簡易かつ確実に行うカメラシステム及びカメラ本体の設定方法を提供する。【解決手段】  カメラ本体と、該カメラ本体に着脱可能に装着されるアクセサリーとを有するカメラシステムにおいて前記カメラ本体に前記アクセサリーに対応した設定を行う方法であって、前記アクセサリーの記憶媒体に記憶された当該アクセサリーに特有の固有情報を読み出すステップと、前記固有情報に基づき、前記アクセサリーが以前に前記カメラ本体に装着されたか否かを判断するステップと、前記判断ステップが前記アクセサリーが以前に装着されたと判断した場合に、該以前に装着された前記アクセサリーに対する前記カメラシステムの設定を今回の設定に適用するステップとを有することを特徴とする方法を提供する。【選択図】      図５
2005173314.tif 000002
【特許請求の範囲】
【請求項１】
カメラ本体と、該カメラ本体に着脱可能に装着されるアクセサリーとを有するカメラシステムにおいて前記カメラ本体に前記アクセサリーに対応した設定を行う方法であって、
前記アクセサリーの記憶媒体に記憶された当該アクセサリーに特有の固有情報を読み出すステップと、
前記固有情報に基づき、前記アクセサリーが以前に前記カメラ本体に装着されたか否かを判断するステップと、
前記判断ステップが前記アクセサリーが以前に装着されたと判断した場合に、該以前に装着された前記アクセサリーに対する前記カメラシステムの設定を今回の設定に適用するステップとを有することを特徴とする方法。
【請求項２】
前記アクセサリーが以前に前記カメラ本体に装着された場合に、該以前に装着された前記アクセサリーに対する前記カメラシステムの設定を、今回の設定で更新するステップを更に有することを特徴とする請求項１記載の方法。
【請求項３】
前記アクセサリーの前記固有情報と当該アクセサリーに対する前記カメラシステムの設定を関連付けて保存するステップを更に有することを特徴とする請求項１記載の方法。
【請求項４】
請求項１乃至３のうちいずれか一項記載の方法を実行するためのプログラム。
【請求項５】
カメラ本体と、該カメラ本体に着脱可能に装着されるアクセサリーとを有するカメラシステムであって、
以前に装着された前記アクセサリーの当該アクセサリーに特有の固有情報と当該アクセサリーに対する前記カメラシステムの設定を関連付けて保存する第１の記憶部と、
前記アクセサリーに設けられ、前記固有情報を記憶する第２の記憶部と、
以前に装着された前記アクセサリーが前記カメラ本体に装着された場合に、前記第１及び第２の記憶部を参照して、前記固有情報に対応して該以前になされた前記カメラシステムの設定を今回の設定として適用する制御部とを更に有することを特徴とするカメラシステム。
【請求項６】
前記カメラ本体は、前記アクセサリーが前記カメラ本体から取り外された場合に前記カメラ本体に設定された設定を前記アクセサリーが装着される前の状態に戻す手段を有することを特徴とする請求項５記載のカメラシステム。
【請求項７】
前記アクセサリーは、レンズ又はストロボであることを特徴とする請求項５記載のカメラシステム。
【請求項８】
前記第１の記憶部は、前記カメラ本体に設けられることを特徴とする請求項５記載のカメラシステム。
【請求項９】
前記カメラ本体は、当該カメラ本体に着脱可能に装着される記憶媒体を含み、
前記第１の記憶部は、前記記憶媒体であることを特徴とする請求項５記載のカメラシステム。
【請求項１０】
前記カメラ本体は、外部記憶装置と接続され、
前記第１の記憶部は、前記外部記憶装置であることを特徴とする請求項５記載のカメラシステム。
【請求項１１】
アクセサリーが着脱可能に装着されるカメラ本体であって、
前記アクセサリーの記憶媒体に記憶された当該アクセサリーに特有の固有情報を読み出す読み出し手段と、
前記アクセサリーが装着されたときに前記固有情報と共に前記カメラ本体もしくは前記アクセサリーの少なくとも一方の設定状態を記録する記録手段とを有することを特徴とするカメラ本体。
【請求項１２】
前記アクセサリーが、再度前記カメラ本体に装着された場合には、前記記録手段に記録された前記設定状態を適用する再設定手段を有することを特徴とする請求項１１記載のカメラ本体。
【請求項１３】
前記アクセサリーが、再度前記カメラ本体に装着された場合に、さらに前記カメラ本体もしくは前記カメラアクセサリーの少なくとも一方の設定状態が変更されたときには、前記記録手段に記録された設定状態を更新する更新手段を有することを特徴とする請求項１２記載のカメラ本体。
【請求項１４】
前記アクセサリーが前記カメラ本体から取り外されたときには、前記カメラアクセサリーが装着される以前の前記カメラ本体の設定状態に復帰する復帰手段を有することを特徴とする請求項１１記載のカメラ本体。
【発明の詳細な説明】
【技術分野】
【０００１】
本発明は、一般には、カメラ本体、交換可能なレンズ装置及び交換可能なストロボ又はフラッシュ装置（即ち、アクセサリー）からなるカメラシステム係り、特に、カメラシステムにおけるカメラ本体の設定に関する。
【背景技術】
【０００２】
一眼レフ等のカメラは、撮影者の意図を反映するために、ＡＶ優先やＴＶ優先等の撮影モード設定や、評価測光、部分測光、スポット測光などの測光エリア切替え設定や、連写、単写の給送モード設定や、ワンショット、サーボなどのＡＦモードの切替え設定や、露出補正などの補正値の設定など、各種設定が可能で、撮影者ごとにカメラの設定を変更することができる。従来は、カメラのモード、補正値等の設定値を数種類切替え可能なカメラが商品化されている。また、各種設定値をアクセサリー内のメモリに記憶することにより、アクセサリーをカメラ本体に装着した際に、他のカメラ本体の設定と同様に設定にする技術も提案されている。
【０００３】
従来技術としては、例えば、特許文献１がある。
【特許文献１】特開２０００−７５３８４号公報
【発明の開示】
【発明が解決しようとする課題】
【０００４】
しかし、従来のカメラはカメラ本体の設定値を記憶するだけであるため、装着されるアクセサリーに対応した設定を行うことは難しい。カメラ本体の各種設定値をアクセサリーのメモリに記憶する場合では、カメラ本体とアクセサリーとの通信中に、アクセサリーが取り外された等の通信エラーが起きた場合のアクセサリー内でのエラー処理が難しい。また、複数のアクセサリーがそれぞれメモリと設定値を設定する機能が備わっている場合には設定に矛盾が生じてしまう場合もある。
【０００５】
そこで、本発明は、装着されるアクセサリーに適した設定を簡易かつ確実に行うカメラシステム及びカメラ本体の設定方法を提供することを例示的目的とする。
【課題を解決するための手段】
【０００６】
本発明の一側面としての設定方法は、カメラ本体と、該カメラ本体に着脱可能に装着されるアクセサリーとを有するカメラシステムにおいて前記カメラ本体に前記アクセサリーに対応した設定を行う方法であって、前記アクセサリーの記憶媒体に記憶された当該アクセサリーに特有の固有情報を読み出すステップと、前記固有情報に基づき、前記アクセサリーが以前に前記カメラ本体に装着されたか否かを判断するステップと、前記判断ステップが前記アクセサリーが以前に装着されたと判断した場合に、該以前に装着された前記アクセサリーに対する前記カメラシステムの設定を今回の設定に適用するステップとを有することを特徴とする。前記アクセサリーが以前に前記カメラ本体に装着された場合に、該以前に装着された前記アクセサリーに対する前記カメラシステムの設定を、今回の設定で更新するステップを更に有してもよい。前記アクセサリーの前記固有情報と当該アクセサリーに対する前記カメラシステムの設定を関連付けて保存するステップを更に有してもよい。上述の方法を実行するためのプログラムも本発明の別の側面を構成する。
【０００７】
本発明の別の側面としてのカメラシステムは、カメラ本体と、該カメラ本体に着脱可能に装着されるアクセサリーとを有するカメラシステムであって、以前に装着された前記アクセサリーの当該アクセサリーに特有の固有情報と当該アクセサリーに対する前記カメラシステムの設定を関連付けて保存する第１の記憶部と、前記アクセサリーに設けられ、前記固有情報を記憶する第２の記憶部と、以前に装着された前記アクセサリーが前記カメラ本体に装着された場合に、前記第１及び第２の記憶部を参照して、前記固有情報に対応して該以前になされた前記カメラシステムの設定を今回の設定として適用する制御部とを更に有することを特徴とする。前記カメラ本体は、前記アクセサリーが前記カメラ本体から取り外された場合に前記カメラ本体に設定された設定を前記アクセサリーが装着される前の状態に戻す手段を有してもよい。前記アクセサリーは、レンズ又はストロボであってもよい。前記第１の記憶部は、前記カメラ本体に設けられてもよい。前記カメラ本体は、当該カメラ本体に着脱可能に装着される記憶媒体を含み、前記第１の記憶部は、前記記憶媒体であってもよい。前記カメラ本体は、外部記憶装置と接続され、前記第１の記憶部は、前記外部記憶装置であってもよい。
【０００８】
本発明の更に別の側面としてのカメラ本体は、アクセサリーが着脱可能に装着されるカメラ本体であって、前記アクセサリーの記憶媒体に記憶された当該アクセサリーに特有の固有情報を読み出す読み出し手段と、前記アクセサリーが装着されたときに前記固有情報と共に前記カメラ本体もしくは前記アクセサリーの少なくとも一方の設定状態を記録する記録手段とを有することを特徴とする。前記アクセサリーが、再度前記カメラ本体に装着された場合には、前記記録手段に記録された前記設定状態を適用する再設定手段を有してもよい。前記アクセサリーが、再度前記カメラ本体に装着された場合に、さらに前記カメラ本体もしくは前記カメラアクセサリーの少なくとも一方の設定状態が変更されたときには、前記記録手段に記録された設定状態を更新する更新手段を有してもよい。前記アクセサリーが前記カメラ本体から取り外されたときには、前記カメラアクセサリーが装着される以前の前記カメラ本体の設定状態に復帰する復帰手段を有してもよい。
【０００９】
本発明の更なる目的又はその他の特徴は、以下、添付図面を参照して説明される好ましい実施形態によって明らかにされるであろう。
【発明の効果】
【００１０】
本発明によれば、装着されるアクセサリーに適した設定を簡易かつ確実に行うカメラシステム及びその設定方法を提供することができる。
【発明を実施するための最良の形態】
【００１１】
以下、添付図面を参照して本発明の一実施形態をカメラシステム１について説明する。ここで、図１は、カメラシステム１の概略ブロック図である。図２は、カメラ本体２とレンズ４０との関係を示す概略ブロック図、図３は、カメラ本体２とストロボ５０との関係を示す概略ブロック図である。なお、本実施形態のカメラシステム１は、銀塩フィルムカメラを用いる例であるが、本発明はこれに限定せず、デジタルカメラ、動画撮影カメラなどを用いる形で同様に実施することができる。また、カメラシステム１は装置に限定されず、カメラシステムの設定方法の形で、さらにはこの設定方法を実現するためのプログラムを格納したＣＤ−ＲＯＭ等の記憶媒体の形で同様に実施することができる。
【００１２】
カメラシステム１は、図１乃至図３に示すように、カメラ本体２と、マイクロコンピュータ１０と、レンズ制御装置１２と、液晶表示回路１４と、メインスイッチ１７を検知するスイッチセンス回路１６と、メイン・サブ電子ダイアル１８ａ及び１８ｂと、Ｘ接点２１を有するストロボ発光調光制御回路２０と、焦点検出回路２２と、側光回路２４と、シャッタ制御回路２６と、給送モータ・チャージモータ制御回路２８と、液晶表示器３０及び３２と、レンズ４０と、ストロボ５０とを有する。構成要素１０乃至２８はカメラ本体２に設けられている。なお、レンズ４０とストロボ５０は、本実施形態では、両方が交換可能であるが、どちらか一方であってもよい。
【００１３】
マイクロコンピュータ１０は、カメラシステム１の各部の動きを制御する。レンズ制御回路１２は、撮影レンズ４０の焦点調節用モータと絞り羽根制御用モータを駆動制御する。レンズ制御回路１２は、マイクロコンピュータ１０からＬＣＯＭ信号を受けている間、ＤＢＵＳを介してシリアル通信を行う。シリアル通信によりモータ駆動情報を受け取り、その情報によりモータを駆動制御する。また、同時にレンズ４０の各種の情報（焦点距離等）をシリアル通信によりマイクロコンピュータ１０に送る。
【００１４】
液晶表示回路１４は、カメラシステム１のバッテリ残量や、撮影枚数や、ＴＶ値，ＡＶ値，露出補正値等を撮影者に知らせるための液晶表示器３０及び３２を駆動する。液晶表示回路３０は、マイクロコンピュータ１０からＤＰＣＯＭ信号を受けている間、ＤＢＵＳを介しシリアル通信を行う。シリアル通信により表示データを受け取り、そのデータに従って液晶表示器３０及び３２を駆動する。
【００１５】
スイッチセンス回路１６は、撮影者が各撮影条件を設定するためのスイッチ（ボタンということもある）やカメラの状態を示すスイッチ（メインスイッチ１７、ＳＷ３乃至ＳＷ５）の状態を読み取りマイクロコンピュータ１０送り、ＳＷＣＯＭ信号を受けている間、ＤＢＵＳを介しシリアル通信によりマイクロコンピュータ１０にスイッチデータを送る。また、電子ダイアル１８ａ及び１８ｂの入力値により、ダイアル値のカウントアップ／カウントダウンも行い、ＳＷＣＯＭ信号を受けている間、ＤＢＵＳを介してシリアル通信によりマイクロコンピュータ１０にカウント値を送る。
【００１６】
ＳＷ３は、カメラのモード（ＴＶ優先，ＡＶ優先、マニアル，プログラム等）を切り替えるためのスイッチである。メイン電子ダイアル１８ａとサブ電子ダイアル１８ｂは、ＴＶ値，ＡＶ値，補正値，モード等を変更する。例えば、モード切替えスイッチＳＷ３を押しながらメイン電子ダイアル１８ａを正回転させると、ＴＶ優先→ＡＶ優先→マニアル→プログラム→ＴＶ優先→ＡＶ優先→マニアル→プログラム……と変更され、撮影者の意図するモードに設定することができる。また、メイン電子ダイアル１８ａを逆回転させたときは、プログラム→マニアル→ＡＶ優先→ＴＶ優先→プログラム→……とモードは変更される。また、モード変更スイッチＳＷ３とメイン電子ダイアル１８ａによりＴＶ優先がモードとして設定されている場合には、メイン電子ダイアル１８ａを回転させることにより撮影者の希望とするＴＶ値を設定することができる。また、モード変更スイッチＳＷ３とメイン電子ダイアル１８ａによりＡＶ優先がモードとして設定されている場合には、メイン電子ダイアル１８ａを回転させることにより撮影者の希望とするＡＶ値を設定することができる。モード変更スイッチＳＷ３とメイン電子ダイアル１８ａによりプログラムモードが設定されている場合には、メイン電子ダイアル１８ａを回転させることによりＴＶ値とＡＶ値の組合せを変更するプログラムシフトが可能となる。また、モード変更スイッチＳＷ３とメイン電子ダイアル１８ａによりマニアルがモードとして設定されている場合には、メイン電子ダイアル１８ａによりＴＶ値の変更が可能となり、サブ電子ダイアル１８ｂでＡＶ値の変更が可能となる。そして、モード変更スイッチＳＷ３とメイン電子ダイアル１８ａによりマニアル以外のモード（ＡＶ優先，ＴＶ優先，プログラム）が設定されている場合、サブ電子ダイアル１８ｂにより露出補正の変更が可能となる。
ＳＷ４はＡＦモード設定スイッチである。合焦後はピントを固定するワンショットＡＦや、常に被写体を追尾するサーボＡＦやその２つを自動で切り替える自動切換えＡＦの選択に用いる。
【００１７】
ＳＷ５は測光モード設定スイッチである。評価測光，中央重点測光，部分測光，スポット測光の切替えに用いる。ＳＷ６は給送モード設定スイッチである。連写のＨｉ、連写のＬｏ、単写を切り替える。ＳＷＢは、交換レンズ４０又は外付けストロボ５０に記録されたカメラシステムの設定情報を引き出しカメラ本体に設定するためのスイッチである。
【００１８】
ストロボ発光調光制御回路２０は、ストロボ５０の発光とＴＴＬ調光による発光停止機能を制御し、ＳＴＣＯＭ信号を受けている間、ＤＢＵＳを介してマイクロコンピュータ１０とシリアル通信を行い、ストロボ制御に関するデータを受け取って各種の制御を行う。Ｘ接点２１はシャッタの先幕の走行完のタイミングでＯＮし、ストロボ発光のタイミングをストロボ発光調光制御回路２０に知らせる役目をする。回路２０は、外付けストロボ５０がカメラ本体２に装着された場合のインターフェースの働きも行う。よって、外付けストロボ５０が装着された場合は、外付けストロボ５０と通信を行い、その情報（補助光の有無等）をマイクロコンピュータ１０に送る。逆に、マイクロコンピュータ１０からの制御信号を外付けストロボ５０に伝える役割も行う。
【００１９】
焦点検出回路２２は、既存の位相差検出方式によりＡＦを行うためのラインセンサと、その蓄積読出しのための回路ユニットからなり、マイクロコンピュータ１０に制御される。マイクロコンピュータ１０は、センサ出力のＡ／Ｄ値に基づいて、既存のアルゴリズムで測距を行い、レンズ駆動量を演算した後に合焦するようにレンズ制御回路１２に演算で求めたレンズ駆動量を通信し、レンズ４０を駆動して合焦させる。
【００２０】
測光回路２４は、被写体の測光を行い、マイクロコンピュータ１０の制御により測光出力をマイクロコンピュータ１０に送る。マイクロコンピュータ１０は送られた測光出力をＡ／Ｄ変換し、露出条件（絞り，シャッタスピード）の演算に用いる。シャッタ制御回路２６は、マイクロコンピュータ１０の制御信号に従って不図示のシャッタ先幕及び後幕の走行制御を行う。
【００２１】
給送モータ，チャージモータ制御回路２８は、マイクロコンピュータ１０からの制御信号に従ってフィルムの給送（巻き上げ，巻戻し）を行う。また、回路２８はミラーアップ、チャージ（ミラーダウン）用モータの制御も行う。ＳＷ１は、カメラシステムの動作を開始させるスイッチであり、スイッチＳＷ１がＯＮされたことをマイクロコンピュータ１が認識すると測光，測距，表示をスタートさせる。ＳＷ２は、カメラシステムのレリーズボタンと連動したスイッチであり、ＳＷ２がＯＮされたことをマイクロコンピュータ１が認識すると露光動作をスタートさせる。
【００２２】
外部（ファインダ外）表示装置３０及びファインダー内液晶表示装置３２は液晶表示回路１４で駆動される。
【００２３】
図２を参照するに、カメラ本体２は、メモリ３４と３６とを有する。メモリ３４は、複数の領域を有しカメラの各種設定情報を書き込み可能に格納する格納部である。メモリ３４は、過去にカメラ本体２に装着されたレンズ４０及びストロボ５０に対してその時に設定されたカメラ本体２の各種設定情報（即ち、レンズ４０及びストロボ５０の機種番号とそれに対応するカメラ本体２の各種設定の対応表）も格納している。レンズ４０に関する対応表の一例を図６に示す。同図に示すように、ある機種番号（項目１）を有するレンズ４０に対しては、カメラ本体２は、撮影モード（項目２）、ＩＳＯ感度（項目３）、側光モード（項目４）、給送モード(項目５)、ＡＥＢ（項目６）、露出補正（項目７）、調光補正（項目８）、ＡＦモード（項目９）、カスタムファンクション（ＣＦ）（項目１０）、ＡＶ優先時の設定絞り値（項目１１）、ＴＶ優先時の設定シャッタースピード（項目１２）が設定される。メモリ３６にはメモリ３４やレンズ及びストロボの機種情報が書き込まれ、例えば、ＲＡＭからなる。図６に示す例は、１２項目で１３バイトの例である。レンズ機種番号（項目１）を取得することにより、この情報を基に検索してレンズ４０に対するカメラ本体２の設定情報を取得することが可能となる。
【００２４】
交換可能なレンズ（交換レンズともいう）４０は、レンズ制御回路１２を通して制御され、図２に示すように、交換レンズ４０内にはＥＥＰ等のメモリ４２を内蔵しており、レンズの種類を得ることができる。
【００２５】
外付けストロボ５０は、ストロボ発光調光制御回路２０を通して制御され、カメラ本体２とは別個の電源を持つ。外付けストロボ５０は、図３に示すように、ＥＥＰ等のメモリ５２が内蔵されており、外付けストロボの種類を得ることができる。
【００２６】
以下、図４を参照して、カメラシステム１の動作について説明する。ここで、図４は、カメラシステム１の動作を説明するためのフローチャートである。まず、スイッチ入力によるカメラのモードなどの各種設定（ＩＳＯ感度設定、画像サイズ設定、画質設定、情報表示設定）を行うと共にモード切替を液晶表示器３０又は３２に表示する（ステップＳ１０１）。
【００２７】
ステップＳ１０１は、図５に示すように、アクセサリーに対応するカメラ設定も含む。以下、図５を参照してアクセサリーに対応するカメラ本体２の設定について説明する。ここで、図５は、アクセサリー（レンズ４０やストロボ５０）に対応するカメラ設定を説明するためのフローチャートである。かかる設定は、交換レンズ４０又は外付けストロボ５０を取り付けた際に、カメラ本体２のメモリ３６にそれに対応するカメラ本体２の設定情報を読み出して反映する処理である。なお、図４及び図５に示す方法は、プログラムとしてカメラ本体２のメモリ３４その他の記憶手段に格納される。
【００２８】
まず、マイクロコンピュータ１０は、アクセサリーが取り付けられたかどうかをレンズ４０についてはレンズ制御回路１２を、ストロボ５０についてはストロボ発光調光制御回路２０を介して判断し（ステップＳ１２１）、取り付けられたと判断した場合は、アクセサリーと通信してアクセサリーのメモリ（即ち、４２及び５２）に格納されているアクセサリーの機種番号を取得し、メモリ３６に格納する（ステップＳ１２２）。
【００２９】
次に、マイクロコンピュータ１０は、かかるアクセサリーの機種番号をキーとして過去にかかるアクセサリーに対して設定されたカメラの設定情報の対応表（例えば、図６に示すもの）がメモリ３４に存在するかどうかを判定する(ステップＳ１２３)。存在する場合には、かかるカメラの設定情報を対応表から取得してメモリ３６に設定する（ステップＳ１２４）。ステップＳ１２１でアクセサリーが取り付けられていないと判断された場合、ステップＳ１２３で過去に取り付けられたアクセサリーではないと判断された場合、若しくは、ステップＳ１２４でカメラに設定された場合は、次にマイクロコンピュータ１０は、アクセサリーが取り外されようとしているかどうかを判断する（ステップＳ１２５）。
【００３０】
マイクロコンピュータ１０は、ステップＳ１２５で取り外されようとしていないと判断した場合は処理を終了し、取り外されようとしていること判断した場合には過去に取り付けられたアクセサリーかどうかを判断する（ステップＳ１２６）。マイクロコンピュータ１０は、ステップＳ１２６で過去に取り付けられたアクセサリーであると判断した場合はメモリ３４に格納された対応表を更新し（ステップＳ１２７）、過去に取り付けられたアクセサリーではないと判断した場合はアクセサリーに対するカメラ本体２の設定情報を対応表として新規に作成してメモリ３４に格納する（ステップＳ１２８）。ステップＳ１２７、１２８の後で対応表の更新もしくは新規作成が完了した段階でアクセサリーの取り外しを許可して処理を終了する。
【００３１】
マイクロコンピュータ１０は、アクセサリーがカメラ本体２から取り外された場合に、必要があれば、カメラ本体２に設定された設定をアクセサリーが装着される前の状態に戻してもよい。
【００３２】
再び図４に戻って、次に、マイクロコンピュータ１０は、スイッチＳＷ１がオンになり、動作可能になったかどうかを判断する(ステップＳ１０２)。マイクロコンピュータ１０は、スイッチＳＷ１がオフであると判断すれば（ステップＳ１０２）、電源がオフにされたかどうかを判断し（ステップＳ１０３）、オフにされたと判断した場合には図示しない電源をオフにして処理を終了する（ステップＳ１０４）。
【００３３】
一方、マイクロコンピュータ１０は、スイッチＳＷ１がオンであると判断すると（ステップＳ１０２）、公知のＡＥを行う（ステップＳ１０５）。次に、マイクロコンピュータ１０は、オートフォーカスを行う（ステップＳ１０６）。具体的には、フォーカス情報に基づいてレンズ駆動量を演算決定し、ＡＦ駆動回路を用いてレンズ４０の一部を駆動し、ピント調整を行う。撮影情報を液晶表示回路１４に送り、液晶表示器３０及び３２に表示する（ステップＳ１０７）。
【００３４】
次に、マイクロコンピュータ１０は、レリーズが可能であるかどうかを判断し（ステップＳ１０８）、可能でなければステップＳ１０１に帰還する。また、スイッチＳＷ２がオンであるか（レリーズボタンが押されたかどうか）の判定を行い（ステップＳ１０９）、オンでなければステップＳ１０１に帰還する。一方、マイクロコンピュータ１０は、ステップＳ１０９でオンであると判断すれば、ミラーをアップして所定の露出値に応じて絞りを閉じ（ステップＳ１１０）、所定時間露光を行うようシャッタを開閉し（ステップＳ１１１）、ミラーをダウンして絞りを開く（ステップＳ１１２）。その後、フィルム給送を行い（ステップＳ１１３）、ステップＳ１０１に帰還する。
【００３５】
このように、本実施形態によれば、アクセサリーを装着したときに、過去に設定した最適な設定状態にカメラの設定を変更することが可能になり、複数のレンズやストロボを交換しながら撮影する場合に、瞬時に前回の装着時と同じ状態に設定することが可能となる。また、本実施形態では、メモリ３４がカメラの設定情報や対応表を格納しているが、ＣＦカード等の記憶媒体やケーブルの接続を介して外部機器（パーソナルコンピュータ）でこれらの情報を記憶してもよい。
【００３６】
また、交換レンズ４０や外付けストロボ５０を取り外した状態のカメラの設定情報を、存在することのない交換レンズ４０や外付けストロボ５０の機種番号と共に記憶させることにより、後に同じように交換レンズ４０や外付けストロボ５０を取り外した際に、記憶しているカメラ本体２の設定情報をカメラ本体２に設定することや、交換レンズ４０と外付けストロボ５０の組み合わせから記憶しているカメラの設定情報をカメラに設定することも可能である。更に、カメラ本体２の設定情報をメモリ３６に読み出して反映するタイミングや、メモリ３４にカメラ本体３４の設定情報を更新又は新規に記憶させるタイミングをスイッチ等によって制御させることも可能である。
【００３７】
また、本実施例においては、機種番号を用いて説明したが、アクセサリーに固有の情報であれば同様の効果を奏するものであるので、例えば、製造番号、シリアルＮＯ．、撮影者による命名、もしくはこれらの組み合わせであってもよい。
【００３８】
以上説明したように、本実施形態によれば、アクセサリーをカメラ本体に取り付けた際に、容易かつ正確に、前回その外部機器を取り付け撮影していた場合と同様の設定状態にできる。また、カメラ本体に設定を格納することによってカメラ本体の各種設定値をアクセサリーのメモリに記憶する場合と比較して、カメラ本体とアクセサリーとの通信エラー時の処理や複数のアクセサリーのメモリ間での設定の不一致を防止することができる。また、インターネットでカメラ本体とアクセサリーとの対応表をダウンロードして予めカメラ本体２のメモリ３４に格納しておくことも可能である。
【図面の簡単な説明】
【００３９】
【図１】本発明の一実施形態のカメラシステムの概略ブロック図である。
【図２】図１に示すカメラシステムのカメラ本体とレンズとの関係を示す概略ブロック図である。
【図３】図１に示すカメラシステムのカメラ本体とストロボとの関係を示す概略ブロック図である。
【図４】図１に示すカメラシステムの動作を説明するためのフローチャートである。
【図５】図４に示すカメラシステムの動作におけるレンズ設定を説明するためのフローチャートである。
【図６】図５に示すフローチャートによってレンズに対応して設定されるカメラ本体の各種設定を示す表である。
【符号の説明】
【００４０】
１                              カメラシステム
２                              カメラ本体
１０                            マイクロコンピュータ
３４、３６、４２、５２          メモリ
４０                            レンズ
５０                            ストロボ
【図１】
2005173314.tif 000003
【図２】
2005173314.tif 000004
【図３】
2005173314.tif 000005
【図４】
2005173314.tif 000006
【図５】
2005173314.tif 000007
【図６】
2005173314.tif 000008